(57)【要約】【課題】可動軸を押圧した際の感触を得ることと、スイッチ装置の小型化との両立を図ることができるスイッチ装置および楽音生成装置を提供すること。【解決手段】可動軸３１の下端に接続されると共に可動軸３１の径方向に延びる第１アーム部６０と、その第１アーム部６０の延設先端側に接続され上方に延びる第２アーム部６１と、その第２アーム部６１の延設先端側に接続され可動軸３１の径方向に延びる第３アーム部６２と、を有するアーム６を備えるので、可動軸３１の軸Ｏから偏心した位置であって、可動軸３１の下端よりも上方側に第３アーム部６２を配設できる。よって、その分、スイッチ１０３（基板）も筐体１０１の上板１０１ａ側に近づけて配設することができるので、上下方向においてスイッチ装置１（効果装置１００）を小型化できる。また、可動軸３１が復帰ばね４によって上方に付勢されるので、可動軸３１を押圧した際の感触を得ることができる。【選択図】図２
2019129045.tif 000002
【特許請求の範囲】
【請求項１】
スイッチと、筐体と、その筐体に対して移動すると共に前記スイッチを押圧するための可動軸と、その可動軸の軸方向一端側に向けて前記可動軸を付勢する弾性部材と、を備えるスイッチ装置において、
前記可動軸の軸から偏心した位置で前記スイッチを押圧するためのアームを備えることを特徴とするスイッチ装置。
【請求項２】
前記可動軸は、遊びを有した状態で前記筐体に対して相対変位可能に構成されることを特徴とする請求項１記載のスイッチ装置。
【請求項３】
前記軸方向に沿って延設されると共に前記可動軸の径方向に凸状または凹状に形成されるガイド部を備え、
前記アームは、前記ガイド部に係合可能に構成される被ガイド部を備えることを特徴とする請求項２記載のスイッチ装置。
【請求項４】
前記アームは、前記可動軸の軸方向他端側に接続されると共に前記可動軸の径方向に延びる第１アーム部と、その第１アーム部の延設先端側に接続され前記軸方向一側に延びる第２アーム部と、その第２アーム部の延設先端側に接続され前記軸方向視において前記第１アーム部に重ならない方向であって前記可動軸の径方向または周方向に延びる第３アーム部と、を備え、
前記被ガイド部は、前記第２アーム部に形成されると共に前記軸方向に沿って延設されることを特徴とする請求項３記載のスイッチ装置。
【請求項５】
前記軸方向視において、前記第３アーム部によるスイッチの押圧位置は、凸状の前記ガイド部または前記被ガイド部の突出方向と前記可動軸とを結ぶ仮想線からずれた位置に設定されることを特徴とする請求項４記載のスイッチ装置。
【請求項６】
前記ガイド部が形成されると共に前記枠体に対して着脱可能に構成されるガイド部材を備え、
前記アームは、前記可動軸に対して着脱可能に構成されることを特徴とする請求項３から５のいずれかに記載のスイッチ装置。
【請求項７】
請求項１から６のいずれかに記載のスイッチ装置を備えることを特徴とする楽音生成装置。
【請求項８】
前記スイッチ装置は、複数個が並設されるフットスイッチとして構成され、
前記アームは、前記スイッチ装置どうしの対向間に向けて延びることを特徴とする請求項７記載の楽音生成装置。
【発明の詳細な説明】
【技術分野】
【０００１】
本発明は、スイッチ装置および楽音生成装置に関し、特に、可動軸を押圧した際の感触を得ることと、スイッチ装置の小型化との両立を図ることができるスイッチ装置および楽音生成装置に関する。
【背景技術】
【０００２】
演奏者によって操作されるスイッチ装置を備える楽音生成装置（例えば、エフェクタ等の効果装置や、電子ピアノ等の電子楽器）が知られている。例えば、特許文献１には、可撓性材料を用いて構成されるカバー部材を基板に被せ、そのカバー部材に可動接点（可動接点用突起）が一体的に形成されるスイッチ装置が記載されている。このスイッチ装置では、基板に対して垂直に形成される一対の側壁によって厚肉部が支持され、その厚肉部の下面（基板側の面）に可動接点が形成される。
【０００３】
このスイッチ装置によれば、可動部上面を押圧することにより、側壁が屈曲して可動接点をスイッチに接触させることができる。即ち、可撓性材料から構成されるカバー部材を用いることで比較的簡易な構成でスイッチ装置を形成することができので、例えば、可動接点の押圧方向においてスイッチ装置を小型化することができる。
【先行技術文献】
【特許文献】
【０００４】
【特許文献１】特開２００１−０９３３６８号公報（例えば、段落００２２，００２３，００２６、図４）
【特許文献２】実開平０５−０３４６２４号公報（例えば、段落００１２、図１）
【発明の概要】
【発明が解決しようとする課題】
【０００５】
しかしながら、上述した従来の技術では、カバー部材が可撓性材料から構成されるので、可動部上面を押圧した際の感触が得られにくい。これに対して、例えば、特許文献２には、電子楽器の筐体に固定される外枠と、その外枠に摺動自在に挿通されると共に下端がスイッチに対向配置される可動軸（踏み込み部材）と、その可動軸を上方へ付勢する復帰ばねと、を備えるスイッチ装置が記載されている。
【０００６】
このスイッチ装置によれば、可動軸を押圧することにより、復帰ばねの付勢力に抗して可動軸が下方に変位するので、可動軸を押圧した際の感触が得られやすい。しかしながら、この従来の技術では、可動軸の押し込み方向でスイッチと可動軸とが対向配置されるので、可動軸の押し込み方向においてスイッチ装置が大型化するという問題点があった。
【０００７】
本発明は、上述した問題点を解決するためになされたものであり、可動軸を押圧した際の感触を得ることと、スイッチ装置の小型化との両立を図ることができるスイッチ装置および楽音生成装置を提供することを目的としている。
【課題を解決するための手段】
【０００８】
この目的を達成するために本発明のスイッチ装置および楽音生成装置は、スイッチと、筐体と、その筐体に対して移動すると共に前記スイッチを押圧するための可動軸と、その可動軸の軸方向一端側に向けて前記可動軸を付勢する弾性部材と、を備えるものであり、前記可動軸の軸から偏心した位置で前記スイッチを押圧するためのアームを備える。
【図面の簡単な説明】
【０００９】
【図１】（ａ）は、第１実施形態におけるスイッチ装置が配設される効果装置の部分拡大斜視図であり、（ｂ）は、図１（ａ）の矢印Ｉｂ方向視における効果装置の部分拡大上面図である。
【図２】（ａ）は、図１（ｂ）のＩＩａ−ＩＩａ線における効果装置の部分拡大断面図であり、（ｂ）は、図２（ａ）のＩＩｂ−ＩＩｂ線における効果装置の部分拡大断面図である。
【図３】図２（ａ）の状態からスイッチ装置が踏み込まれた状態を示す効果装置の部分拡大断面図である。
【図４】（ａ）は、第２実施形態における効果装置の部分拡大断面図であり、（ｂ）は、図４（ａ）のＩＶｂ−ＩＶｂ線における効果装置の部分拡大断面図である。
【図５】（ａ）は、図４（ｂ）の状態からスイッチ装置が踏み込まれた状態を示す効果装置の部分拡大断面図であり、（ｂ）は、軸方向視におけるアームの概略形状を示した模式図である。
【発明を実施するための形態】
【００１０】
以下、好ましい実施形態について、添付図面を参照して説明する。まず、図１を参照して、スイッチ装置１及び効果装置１００の構成について説明する。図１（ａ）は、第１実施形態におけるスイッチ装置１が配設される効果装置１００の部分拡大斜視図であり、図１（ｂ）は、図１（ａ）の矢印Ｉｂ方向視における効果装置１００の部分拡大上面図である。なお、図１では、図面を簡素化するために、効果装置１００の一部を省略して模式的に図示している。
【００１１】
図１に示すように、効果装置１００は、電子楽器（本実施形態では、電気ギター）から出力される楽音信号に効果を付与し、図示しない外部装置（例えば、アンプやスピーカ）に出力するための楽音生成装置である。効果装置１００は、図示しない操作子（例えば、回転つまみやフットペダル）やスイッチ装置１を備え、それら操作子およびスイッチ装置１によって各種の設定（例えば、楽音信号の出力レベルの設定、効果のオン／オフの設定、付与する効果のタイプの設定等）が行われる。
【００１２】
操作子やスイッチ装置１は、効果装置１００の筐体１０１の上面（操作パネル）に配設され、スイッチ装置１は、筐体１０１の幅方向（図１（ｂ）の左右方向）に沿って複数（本実施形態では、４個）配設される。効果装置１００は、床に載置された状態で使用され、スイッチ装置１は、演奏者が電子楽器を演奏しながら足で操作する（踏み込む）フットスイッチとして構成される。
【００１３】
筐体１０１は、その上面を構成する上板１０１ａと、その上板１０１ａの下方に対向配置される下板１０１ｂと（図２参照）、それら上板１０１ａ及び下板１０１ｂの外縁どうしを接続する側板１０１ｃと、を備え、筐体１０１の内部にはスイッチ装置１や基板１０２を配設するための空間が形成される。基板１０２は、筐体１０１の上板１０１ａから下方に垂下される締結部１０１ｄの下端にボルト（図示せず）によって固定される。
【００１４】
即ち、図示は省略するが、基板１０２は、締結部１０１ｄに固定されることで上板１０１ａにぶら下げられた状態で配設される。なお、締結部１０１ｄを下板１０１ｂから上方に突出させて下板１０１ｂに基板１０２を固定する構成でも良い。
【００１５】
次いで、図２を参照して、スイッチ装置１の詳細構成について説明する。図２（ａ）は、図１（ｂ）のＩＩａ−ＩＩａ線における効果装置１００の部分拡大断面図であり、図２（ｂ）は、図２（ａ）のＩＩｂ−ＩＩｂ線における効果装置１００の部分拡大断面図である。なお、図２（ａ）では、図面を簡素化するために、締結部１０１ｄ（図１（ｂ）参照）の図示を省略している。また、図２（ａ）では、理解を容易にするために、筒部２０に対する可動軸３１の遊びを誇張して図示しており、図２以降の図面においても同様とする。
【００１６】
図２に示すように、スイッチ装置１は、上板１０１ａの上下に貫通する貫通孔１０１ｅに固定される。スイッチ装置１は、貫通孔１０１ｅに係止される枠体２と、その枠体２に挿通されると共に枠体２に対して相対変位する操作部材３と、その操作部材３を上方（軸Ｏ方向一端側）に付勢する復帰ばね４と、操作部材３の下端側（軸Ｏ方向他端側）に設けられる止め輪５と、その止め輪５よりも下方であって操作部材３の下端にボルトＢによって固定されるアーム６と、そのアーム６や枠体２を取り囲む態様で配設されるガイド部材７と、を備える。
【００１７】
なお、以下の説明において、枠体２の軸Ｏ（即ち、操作部材３が踏み込まれる前の初期状態における可動軸３１の軸Ｏ）と直交する方向を「径方向」、軸Ｏ周りの方向を「周方向」と記載して説明する。
【００１８】
枠体２は、筒状の筒部２０と、その筒部２０の上端から径方向外側に張出す第１係止部２１と、筒部２０の下端から径方向内側に張り出す第２係止部２２と、を備え、金属材料を用いて形成される。筒部２０の外径は、貫通孔１０１ｅの内径と同一（若しくは、若干小さく）設定され、その外周面におねじが形成される。貫通孔１０１ｅの上端側の開口部分に第１係止部２１を係止させた状態で、ナットＮが筒部２０の外周面に螺着されることにより、上板１０１ａに枠体２（ガイド部材７）が固定される。
【００１９】
第２係止部２２の内径は、復帰ばね４の直径よりも小さい寸法に設定され、第２係止部２２の上面に復帰ばね４が支持される。復帰ばね４は、コイルばねを用いて構成され、操作部材３の下方への変位が復帰ばね４によって初期位置に復帰される。
【００２０】
操作部材３は、その上端側の部位であって演奏者によって踏み込まれる円柱状の操作部３０と、その操作部３０から下方に延設される可動軸３１と、を備え、金属材料を用いて形成される。
【００２１】
操作部３０の外径は、筒部２０の内径よりも大きい寸法に設定され、枠体２に対する操作部材３の下方への相対変位は、操作部３０が筒部２０の上面に当接することによって規制される。
【００２２】
可動軸３１は、その上端側の部位を構成する大径部と、その大径部から下方に延設される小径部とから構成され、下端が開放される筒状に形成される。可動軸３１の大径部の外径は、筒部２０の内径よりも僅かに（例えば、０．５ｍｍ）小さく設定され、可動軸３１の小径部の外径は、第２係止部２２の内径よりも僅かに（例えば、０．５ｍｍ）小さく設定される。即ち、可動軸３１は、筒部２０に対して遊びを有した状態で挿通される。
【００２３】
可動軸３１の大径部の下面と第２係止部２２の上面との間（即ち、可動軸３１の小径部の外周面と筒部２０の内周面との間）に復帰ばね４が配設される。これにより、操作部材３の操作部３０が演奏者によって踏み込まれると、可動軸３１の大径部と第２係止部２２との間で復帰ばね４が弾性的に変形し、踏み込みが解除されると復帰ばね４の弾性回復力によって操作部材３が初期状態に戻るように付勢される。
【００２４】
可動軸３１の小径部の下端側には、周方向に沿って軸Ｏに向けて凹設される凹部が形成され、かかる凹部に止め輪５が嵌め込まれる。止め輪５は、初期状態において筒部２０の下面に当接した状態で配設されるＥリングであり、枠体２から操作部材３が上方側に抜け落ちることが止め輪５によって規制される。
【００２５】
可動軸３１の内周面にはめねじが形成され、可動軸３１の内周面にボルトＢが螺着されることにより、アーム６が可動軸３１の下端に固定される。
【００２６】
アーム６は、基板１０２に実装されるスイッチ１０３を押圧するための部材であり、樹脂材料を用いて形成される。アーム６は、可動軸３１の下端から径方向に延びる第１アーム部６０と、その第１アーム部６０の延設先端（径方向外側の端部）に接続されると共に上方に延びる第２アーム部６１と、その第２アーム部６１の上端に接続されると共に径方向外側に延びる第３アーム部６２と、を備え、各アーム部がそれぞれ平板状に形成される。
【００２７】
第３アーム部６２は、スイッチ１０３を押圧するための部位であり、スイッチ１０３と上下に対向配置される。第３アーム部６２の下面には、スイッチ１０３を押圧する直方体状の押圧部６２ａが設けられ、押圧部６２ａは、ゴム状弾性体を用いて形成される。
【００２８】
第１アーム部６０が可動軸３１の下端から径方向に延びるので、その第１アーム部６０に接続される第２アーム部６１及び第３アーム部６２を軸Ｏから偏心した位置（ずれた位置）に配設することができる。よって、軸Ｏ方向でスイッチ１０３と可動軸３１とが対向配置される場合に比べ、スイッチ１０３（基板１０２）を上板１０１ａ側に近づける（スイッチ１０３が押圧される位置（スイッチ１０３の上端）を可動軸３１の下端よりも上方に配設する）ことができるで、軸Ｏ方向においてスイッチ装置１（効果装置１００）を小型化することができる。
【００２９】
更に、可動軸３１が復帰ばね４によって上方側に付勢されるので、可動軸３１を押圧した際の感触を得ることができる。よって、可動軸３１を押圧した際の感触を得ることと、スイッチ装置１（効果装置１００）の小型化との両立を図ることができる。
【００３０】
また、第１アーム部６０の延設先端から第２アーム部６１が上方に延びるので、第２アーム部６１の上端に接続される第３アーム部６２（押圧部６２ａ）を、極力上板１０１ａ側に近づけることができる。よって、スイッチ１０３（基板１０２）をより上板１０１ａ側に近づけることができるで、軸Ｏ方向においてスイッチ装置１（効果装置１００）を小型化することができる。
【００３１】
ガイド部材７は、筒部２０の外径と同一の（若しくは、若干小さい）内径の貫通孔を有する矩形の上板部７０と、その上板部７０の外縁から下方に垂下する側板部７１と、を備え、樹脂材料を用いて形成される。
【００３２】
上板１０１ａの貫通孔１０１ｅに枠体２が係止された状態では、筒部２０は上板１０１ａよりも下方に突出しており、その筒部２０の突出部分に上板部７０の貫通孔が嵌め込まれる。筒部２０に上板部７０の貫通孔が嵌め込まれた状態で、筒部２０の外周面にナットＮが螺着されることにより、ガイド部材７が枠体２と共に上板１０１ａに固定（共締め）される。
【００３３】
ガイド部材７の側板部７１のうち、第３アーム部６２の延設先端と径方向で対向する側板部７１の内面には、ガイド部７２が形成される。第３アーム部６２の延設先端には、ガイド部７２と係合可能に構成される被ガイド部６３が形成される。
【００３４】
ガイド部７２は、径方向外側に向けて凹む凹溝として構成され、軸Ｏ方向に延設される。被ガイド部６３は、径方向外側に向けて凸状の突起として構成され、被ガイド部６３とガイド部７２との係合によってアーム６の軸Ｏ方向での変位が案内される。
【００３５】
次いで、図３を参照して、スイッチ装置１が演奏者によって踏み込まれた場合について説明する。図３は、図２（ａ）の状態からスイッチ装置１が踏み込まれた状態を示す効果装置１００の部分拡大断面図である。
【００３６】
図３に示すように、操作部材３の操作部３０が演奏者の足によって踏み込まれると、復帰ばね４の付勢力に抗して可動軸３１が筒部２０に対して相対的に変位する（操作部材３が下方に変位する）。可動軸３１の下端にはアーム６が固定されるので、アーム６も可動軸３１と一体的に変位し、押圧部６２ａによってスイッチ１０３が押圧される。
【００３７】
このアーム６の下方への変位は、被ガイド部６３とガイド部７２との係合（摺動）によって案内される。この場合、被ガイド部６３とガイド部７２とが径方向に凸状および凹状に形成されるので、軸Ｏ周りにおける可動軸３１の回転を被ガイド部６３とガイド部７２との係合によって規制することができる。即ち、アーム６の変位を案内する機能と、可動軸３１の回転を規制する機能とを被ガイド部６３及びガイド部７２に兼用させることができる。
【００３８】
第３アーム部６２の押圧部６２ａによるスイッチ１０３の押圧位置は、軸Ｏから偏心した位置であるため、押圧部６２ａによってスイッチ１０３が押圧されると、可動軸３１が軸Ｏに対して傾倒する方向（こじり方向）にスイッチ１０３からの反力が作用する。この時、可動軸３１が遊びを有した状態で筒部２０に挿通されているので、かかる反力によって可動軸３１を筒部２０の内部で傾倒させることができる。この可動軸３１の傾倒によってアーム６も傾倒するので、アーム６（押圧部６２ａ）によるスイッチ１０３の押圧時に、スイッチ１０３に加わる負荷を低減できる。よって、演奏者が操作部３０を強く踏み込んでも、スイッチ１０３が破損することを抑制できる。
【００３９】
ここで、スイッチ装置１は、筐体１０１の幅方向に沿って複数並設されるフットスイッチから構成される（図１参照）。よって、演奏者の足による操作性を確保するために（足で１個のスイッチ装置１を踏み込めるように）、スイッチ装置１どうしが所定の間隔（例えば、６５ｍｍ以上）を隔てて配設される。この場合、例えば、スイッチ１０３が可動軸３１と軸Ｏ方向で対向配置される構成であると、スイッチ装置１の可動軸３１の下方に基板１０２を配設する必要があるため、スイッチ装置１の並設方向で基板１０２を比較的長く形成する必要がある。
【００４０】
これに対して、本実施形態では、第３アーム部６２（押圧部６２ａ）を軸Ｏから偏心した位置に配設することができるので、第３アーム部６２をスイッチ装置１どうしの対向間に配設する（スイッチ装置１どうしの対向間に向けて第１アーム部６０や第３アーム部６２を延設させる）ことにより、複数のスイッチ装置１の並設方向において基板１０２を小型化することができる。
【００４１】
更に、アーム６が可動軸３１の径方向に延設される（第１アーム部６０や第３アーム部６２の延設方向でスイッチ装置１が大型化する）場合でも、比較的スペースに余裕があるスイッチ装置１どうしの対向間に向けてアーム６を延設させることにより、筐体１０１内のスペースを効率良く利用することができる。
【００４２】
また、アーム６が可動軸３１にボルトＢで固定され、可動軸３１に対してアーム６が着脱可能に構成されるので、基板１０２の設計変更等でスイッチ１０３の配設位置に変化が生じても、アーム６の形状を適宜変更する（軸Ｏとスイッチ１０３との位置関係に対応する形状にする）ことにより、アーム６によってスイッチ１０３を押圧することができる。よって、スイッチ１０３の配設位置の自由度が増すので、効果装置１００の設計の自由度が向上する。
【００４３】
この場合、例えば、ガイド部（ガイド部７２に相当する構成）を筐体１０１の上板１０１ａと一体的に形成する構成では、アーム６の形状が変更されると、筐体１０１自体の形状を変更する必要がある。
【００４４】
これに対して、本実施形態では、ガイド部材７（ガイド部７２を備えるもの）が枠体２に対して着脱自在に構成されるので、アーム６の形状が変更された場合でも、そのアーム６の形状（被ガイド部６３の配設位置）に合わせてガイド部材７の形状を変更すれば良い。即ち、スイッチ１０３の配設位置（アーム６の形状）を変更しても、筐体１０１の形状を変更することを不要にできる。
【００４５】
次いで、図４を参照して、第２実施形態について説明する。第１実施形態では、第２アーム部６１の上端から径方向に向けて第３アーム部６２が延設される場合を説明したが、第２実施形態では、第２アーム部２６１の上端から周方向に向けて第３アーム部２６２が延設される場合について説明する。なお、上述した第１実施形態と同一の部分には同一の符号を付してその説明を省略する。
【００４６】
図４（ａ）は、第２実施形態における効果装置２００の部分拡大断面図であり、図４（ｂ）は、図４（ａ）のＩＶｂ−ＩＶｂ線における効果装置２００の部分拡大断面図である。
【００４７】
図４に示すように、第２実施形態の効果装置２００は、基板１０２の形状やスイッチ１０３の配設位置が異なる点を除き、第１実施形態の効果装置２００と同一の構成とされ、スイッチ装置２０１は、アーム２０６及びガイド部材２０７の構成が異なる点を除き、第１実施形態のスイッチ装置１と同一の構成とされる。
【００４８】
スイッチ装置２０１のアーム２０６は、可動軸３１の下端から径方向に延びる平板状の第１アーム部２６０と、その第１アーム部２６０の延設先端（径方向外側の端部）に接続されると共に上方に延びる柱状の第２アーム部２６１と、その第２アーム部２６１の上端に接続されると共に周方向に延びる第３アーム部２６２と、を備える。
【００４９】
第２アーム部２６１の径方向外側の外面（ガイド部７２と径方向で対向する面）には、被ガイド部２６３が軸Ｏ方向に沿って延設される。被ガイド部２６３は、径方向外側に向けて凸状に形成され、ガイド部７２と係合可能に構成される。
【００５０】
第３アーム部２６２は、第２アーム部２６１の上端から上昇傾斜する傾斜部と、その傾斜部から周方向に延びる延設部と、から構成される。第３アーム部２６２の延設部の下面に押圧部６２ａが設けられ、スイッチ１０３と押圧部６２ａが軸Ｏ方向で対向配置される。
【００５１】
第１アーム部２６０が可動軸３１の下端から径方向に延び、その第１アーム部２６０の延設先端から第２アーム部２６１が上方に延びるので、第３アーム部２６２（押圧部６２ａ）を可動軸３１の下端よりも上方側に位置させることができる。よって、軸Ｏ方向でスイッチ１０３と可動軸３１とが対向配置される場合に比べ、スイッチ１０３（基板１０２）を上板１０１ａ側に近づけることができるで、軸Ｏ方向においてスイッチ装置２０１（効果装置２００）を小型化できる。
【００５２】
更に、可動軸３１が復帰ばね４（図３参照）によって上方側に付勢されるので、可動軸３１を押圧した際の感触を得ることができる。よって、可動軸３１を押圧した際の感触を得ることと、スイッチ装置２０１（効果装置２００）の小型化との両立を図ることができる。
【００５３】
ガイド部材２０７は、第３アーム部２６２を収容する貫通孔２７３が上板部２７０に形成される点を除き、第１実施形態のガイド部材７と同一の構成とされる。
【００５４】
上板部２７０に形成される貫通孔２７３に第３アーム部２６２が収容されるので、ガイド部材２０７が枠体２と共に上板１０１ａに共締めされる（アーム２０６と上板１０１ａとの間に上板部２７０が介設される）場合でも、第３アーム部２６２を極力上板１０１ａ側に配設することができる。よって、その分、スイッチ１０３（基板１０２）を上板１０１ａ側に近づけることができるので、軸Ｏ方向においてスイッチ装置２０１（効果装置２００）を小型化することや、スイッチ１０３（基板１０２）の下方に他の部材を配設することができる。
【００５５】
次いで、図５（ａ）を参照して、スイッチ装置２０１が演奏者によって踏み込まれた場合について説明する。図５（ａ）は、図４（ｂ）の状態からスイッチ装置２０１が踏み込まれた状態を示す効果装置２００の部分拡大断面図である。
【００５６】
図５（ａ）に示すように、操作部材３の操作部３０が演奏者の足によって踏み込まれると、操作部材３と共にアーム２０６が下方に変位するので、押圧部６２ａによってスイッチ１０３が押圧される。
【００５７】
このように、スイッチ１０３の配設位置が変化しても、押圧部６２ａが軸Ｏ方向でスイッチ１０３と対向配置されるようにアーム２０６の形状を適宜変更することで、押圧部６２ａによってスイッチ１０３を押圧させることができる。よって、スイッチ１０３の配設位置の自由度が増すので、効果装置２００の設計の自由度が向上する。
【００５８】
このアーム２０６の下方への変位は、被ガイド部２６３とガイド部７２との係合（摺動）によって案内される。被ガイド部２６３とガイド部７２とが径方向に凸状および凹状に形成されるので、第１実施形態と同様、アーム２０６の変位を案内する機能と、可動軸３１の回転を規制する機能とを被ガイド部２６３及びガイド部７２に兼用させることができる。
【００５９】
また、上下に延設される第２アーム部２６１の側面を利用して被ガイド部２６３を形成することにより、第１実施形態の被ガイド部６３に比べ、被ガイド部２６３を軸Ｏ方向で比較的長く形成することができる。これにより、被ガイド部２６３とガイド部７２とを比較的長い寸法で係合させることができるので、アーム２０６の変位を安定してガイドすることができる。
【００６０】
押圧部６２ａによってスイッチ１０３が押圧されると、スイッチ１０３からの反力がアーム２０６に作用し、可動軸３１の遊びの分、可動軸３１及びアーム２０６が傾倒しようとするが、本実施形態では、その過剰な傾倒が被ガイド部２６３及びガイド部７２の係合によって規制される。
【００６１】
ここで、図５（ｂ）を参照して、被ガイド部２６３及びガイド部７２の係合位置と、押圧部６２ａによるスイッチ１０３の押圧位置Ｐと、軸Ｏとの位置関係について説明する。図５（ｂ）は、軸Ｏ方向視におけるアーム２０６の概略形状を示した模式図である。
【００６２】
図５（ｂ）に示すように、第３アーム部２６２が第２アーム部２６１から周方向に延設されることにより、押圧部６２ａによるスイッチ１０３の押圧位置Ｐは、被ガイド部２６３の突出方向（被ガイド部２６３とガイド部７２との係合部分の周方向中心位置）と軸Ｏとを結ぶ仮想線Ｖに対して周方向に偏心した位置となる。
【００６３】
これにより、スイッチ１０３からの反力がアーム２０６に作用すると、図５（ａ）に示すように、被ガイド部２６３が周方向（矢印Ｄ方向）に傾倒しようとするが、軸Ｏ方向に沿って係合する被ガイド部２６３及びガイド部７２によってかかる傾倒が規制される。即ち、被ガイド部２６３及びガイド部７２どうしの周方向における僅かな隙間（例えば、０．５ｍｍ）の分、被ガイド部２６３の傾倒は許容されるが、それ以上に（過剰に）被ガイド部２６３が傾倒することを抑制できる。
【００６４】
よって、スイッチ１０３の押圧時に可動軸３１及びアーム２０６を傾倒させてスイッチ１０３に加わる負荷を低減しつつ、可動軸３１及びアーム２０６が過剰に傾倒することを抑制することができる。従って、スイッチ１０３が破損することを抑制しつつ、スイッチ１０３の押圧動作に不具合（例えば、押し込み不良）が生じることを抑制できる。
【００６５】
以上、上記実施形態に基づき説明をしたが、本発明は上記形態に何ら限定されるものではなく、本発明の趣旨を逸脱しない範囲内で種々の変形改良が可能であることは容易に推察できるものである。
【００６６】
上記各実施形態では、スイッチ装置１，２０１が設けられる楽音生成装置の一例として効果装置１００，２００を例示したが、必ずしもこれに限られるものではない。例えば、電子楽器（例えば、電子ピアノ）等の他の楽音生成装置においても、スイッチ装置１，２０１の技術思想を適用できる。
【００６７】
上記各実施形態では、スイッチ装置１がフットスイッチとして構成される場合を説明したが、必ずしもこれに限られるものではなく、スイッチ装置１，２０１が指で押し込まれるタイプのスイッチ装置として構成されても良い。
【００６８】
上記各実施形態では、効果装置１００，２００にスイッチ装置１，２０１が４個配設される場合を説明したが、必ずしもこれに限られるものではなく、効果装置１００，２００にスイッチ装置１，２０１が１個配設される構成や２個以上配設される構成でも良い。
【００６９】
上記各実施形態では、アーム６，２０６の第１アーム部６０，２６０が径方向に沿って（直線状に）延び、第２アーム部６１，２６１が軸Ｏ方向に沿って（直線状に）延びる場合を説明したが、必ずしもこれに限られるものではない。例えば、直線状や曲線状のアーム部を組み合わせてアームを形成しても良い。
【００７０】
即ち、軸Ｏから偏心した位置であって、可動軸３１の下端よりも上方に第３アーム部６２，２６２を位置させると共に、第３アーム部６２，２６２が他の部材に干渉しない（第３アーム部６２，２６２をスイッチ１０３と対向配置できる）ものであれば、アームの形状は適宜設定できる。
【００７１】
よって、例えば、アームが径方向に直線状に形成される（第１アーム部６０，２６０のみを備える）構成でも良い。この場合には、可動軸３１の下端よりも上方側にアームを接続すれば良い。これにより、アーム（第１アーム部６０，２６０）によって軸Ｏから偏した位置でスイッチ１０３を押圧することができるので、スイッチ１０３を可動軸３１の下端よりも上方に位置させることができる。
【００７２】
上記各実施形態では、枠体２を介して可動軸３１が筐体１０１に挿通され、枠体２と可動軸３１との間に配設される復帰ばね４によって可動軸３１が付勢される場合を説明したが、必ずしもこれに限られるものではない。少なくとも筐体１０１に対して可動軸３１が上方に相対変位するように付勢される構成であれば、枠体２等の他の部材を省略することは当然可能であり、復帰ばね４の配設位置も適宜設定できる。
【００７３】
即ち、スイッチが内部に配設される筐体と、その筐体に対して相対変位する可動軸と、その可動軸を上方に付勢する弾性部材と、を少なくとも備えるスイッチ装置や効果装置であれば、上記各実施形態の技術思想を適用できる。よって、上記各実施形態では、効果装置１００，２００が筐体１０１を備えるものとして説明をしたが、スイッチ装置１，２０１が筐体を備え、その筐体にスイッチ１０３が配設される構成でも良い。
【００７４】
また、例えば、枠体２を省略して可動軸３１を筐体１０１（上板１０１ａ）の貫通孔１０１ｅに直接挿通させる構成でも良い。この場合にも、貫通孔１０１ｅや可動軸３１の直径を適宜設定し、貫通孔１０１ｅに対して遊びを持たせた状態で可動軸３１を挿通させることが好ましい。これにより、スイッチ１０３の押圧時に可動軸３１（アーム）を傾倒させることができる。
【００７５】
上記各実施形態では、筒部２０に対する可動軸３１の遊びの寸法について、可動軸３１の大径部の外径が筒部２０の内径よりも０．５ｍｍ小さく設定され、可動軸３１の小径部の外径が第２係止部２２の内径よりも０．５ｍｍ小さく設定される場合を説明したが、必ずしもこれに限られるものではなく、かかる寸法関係は、適宜設定できる。即ち、アーム６，２０６によるスイッチ１０３の押圧動作に不具合が生じない程度に可動軸３１に遊びを持たせれば良い。また、可動軸３１が傾倒しないように（筒部２０に対して摺動可能な範囲で）可動軸３１に遊びを持たせない構成でも良い。
【００７６】
上記各実施形態では、可動軸３１の遊びによってスイッチ１０３の押圧時に可動軸３１及びアーム６，２０６を傾倒させる場合を説明したが、必ずしもこれに限られるものではない。例えば、スイッチ１０３の押圧時に、スイッチ１０３からの反力によって弾性的に変形できる程度の剛性でアーム６，２０６を形成し、スイッチ１０３に加わる負荷をアーム６，２０６の変形によって低減させる構成でも良い。
【００７７】
上記実施形態では、被ガイド部６３，２６３が径方向に凸状に形成され、ガイド部７２が径方向に凹状に形成される場合を説明したが、必ずしもこれに限られるものではなく、例えば、被ガイド部６３，２６３が径方向に凹状に形成され、ガイド部７２が径方向に凸状に形成される構成でも良い。
【００７８】
また、例えば、第１実施形態の第２アーム部６１及び第３アーム部６２の周方向を向く両側面を挟持する態様の壁部をガイド部材７の上板部７０から垂下させる構成でも良い。この構成の場合には、第２アーム部６１及び第３アーム部６２が被ガイド部に相当し、ガイド部材７の壁部がガイド部に相当する。また、ガイド部材７，２０７を省略し、ガイド部７２に相当する構成を筐体１０１の上板１０１ａから垂下させる構成でも良い。
【００７９】
上記各実施形態では、操作部材３（可動軸３１）を上方に付勢する弾性部材として、コイルばねを用いて構成される復帰ばね４を例示したが、必ずしもこれに限られるものではない。例えば、操作部材３を上方に付勢できるものであれば、他の弾性部材（例えば、板ばね等）を用いても良い。
【００８０】
上記各実施形態では、枠体２から操作部材３が抜け落ちることを止め輪５によって規制する場合を説明したが、必ずしもこれに限られるものではなく、例えば、止め輪５を省略し、第１アーム部６０，２６０に止め輪５の機能を兼用させても良い。これにより、部品点数が低減する。
【符号の説明】
【００８１】
１，２０１      スイッチ装置
３１            可動軸
４              復帰ばね（弾性部材）
６，２０６      アーム
６０，２６０    第１アーム部
６１，２６１    第２アーム部
６２，２６２    第３アーム部
６３，２６３    被ガイド部
７，２０７      ガイド部材
７２            ガイド部
１００，２００  効果装置（楽音生成装置）
１０１          筐体
１０３          スイッチ
Ｏ              軸
Ｐ              押圧位置
Ｖ              仮想線
【図１】
2019129045.tif 000003
【図２】
2019129045.tif 000004
【図３】
2019129045.tif 000005
【図４】
2019129045.tif 000006
【図５】
2019129045.tif 000007